【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
プリント画像の紫外線硬化性ゲルインクの拡散をコントロールする方法であって、
一以上の紫外線硬化性ゲルインクをプリンタのプリントゾーンにおいて一以上のインクジェットによって第１の基体画像部へ塗布するステップであって、前記一以上のインクジェットが前記第１の基体画像部に一以上の第１のインクスポットを形成するように構成されているステップと、
プロセッサによって、前記プリントゾーンの少なくとも前記第１の基体画像部の温度を判断するステップと、
前記プロセッサによって、前記一以上の第１のインクスポットの少なくとも１つのスポットの第１のスポットサイズを判断するステップと、
前記プロセッサによって、前記一以上の第１のインクスポットのターゲットスポットサイズを参照するステップと、
前記プロセッサによって、前記一以上の第１のインクスポットに関して、前記判断された第１のスポットサイズを前記参照されたターゲットスポットサイズと比較するステップと、
前記プロセッサによって、前記プリントゾーンの少なくとも第２の基体画像部の温度を、前記比較に基づいて調節するステップと、
前記一以上の紫外線硬化性ゲルインクを紫外線へ露光させて前記一以上の紫外線硬化性ゲルインクを硬化させるステップと、
を含む、方法。
【請求項２】
前記比較から、前記プロセッサによって、前記第１のスポットサイズが前記ターゲットスポットサイズの所定の許容範囲内にあることを判断するステップと、
前記プロセッサによって、前記プリントゾーンの少なくとも前記第２の基体画像部の温度を、前記プリントゾーンの前記第１の基体画像部の温度に等しくなるよう調節するステップと、
を更に含む、請求項１に記載の方法。
【請求項３】
前記比較から、前記プロセッサによって、前記第１のスポットサイズが前記ターゲットスポットサイズの所定の許容範囲外であることを判断するステップと、
前記プロセッサによって、前記プリントゾーンの少なくとも前記第２の基体画像部の温度を前記プリントゾーンの前記第１の基体画像部の温度と異なるよう調節するステップと、
を更に含む請求項１に記載の方法。
【請求項４】
前記比較から、前記プロセッサによって、前記第１のスポットサイズが前記所定の許容範囲の下限を下回ることを判断するステップと、
前記プロセッサによって、前記プリントゾーンの少なくとも前記第２の基体画像部の温度を、前記プリントゾーンの前記第１の基体画像部の温度より高くなるよう調節するステップと、
を更に含む、請求項３に記載の方法。
【請求項５】
前記比較から、前記プロセッサによって、前記第１のスポットサイズが前記所定の許容範囲の上限を上回ることを判断するステップと、
前記プロセッサによって、前記プリントゾーンの少なくとも前記第２の基体画像部の温度を前記プリントゾーンの前記第１の基体画像部の温度より低くなるよう調節するステップと、
を更に含む、請求項３に記載の方法。
【請求項６】
前記プリントゾーンの前記第１の基体画像部の温度と前記プリントゾーンの前記第２の基体画像部の温度が前記プリントゾーンの基体の温度を調節するように構成されている温度分散装置によってコントロールされる、請求項１に記載の方法。
【請求項７】
前記温度分散装置は、伝導、対流、および放射の少なくとも１つによって、前記プリントゾーンの前記基体の温度をコントロールする、請求項６に記載の方法。
【請求項８】
プリント画像の紫外線硬化性ゲルインクの拡散をコントロールする装置であって、
一以上の紫外線硬化性ゲルインクを塗布して基体上に一以上の第１のインクスポットを形成する一以上のインクジェットと、
プリンタのプリントゾーンの前記基体の温度を調節する少なくとも１つの温度分散装置と、
前記プリントゾーンの前記基体の温度を検知する少なくとも１つの温度センサと、
前記一以上の紫外線硬化性ゲルインクを前記基体上に硬化させる少なくとも１つの紫外線光源と、
プロセッサと、を備え、
前記プロセッサは、
前記一以上の紫外線硬化性ゲルインクの塗布を、前記プリントゾーンの前記一以上のインクジェットによって第１の基体画像部に誘導し、
前記少なくとも１つの温度センサから、前記プリントゾーンの少なくとも前記第１の基体画像部の温度を取得し、
前記一以上の第１のインクスポットの少なくとも１つのスポットの第１のスポットサイズを判断し、
前記一以上の第１のインクスポットのターゲットスポットサイズを参照し、
前記一以上の第１のインクスポットに関して、前記判断された第１のスポットサイズを前記参照されたターゲットスポットサイズと比較し、
前記プリントゾーンの少なくとも第２の基体画像部の温度を、前記比較に基づいて調節し、
前記紫外線光源による前記一以上の紫外線硬化性ゲルインクの露光を誘導して前記一以上の紫外線硬化性ゲルインクを硬化させるように、プログラムされている、装置。
【請求項９】
前記プロセッサが更に、
前記比較から、前記第１のスポットサイズが前記ターゲットスポットサイズの所定の許容範囲内にあることを判断し、
前記プリントゾーンの少なくとも前記第２の基体画像部の温度を、前記プリントゾーンの前記第１の基体画像部の温度に等しくなるよう調節するように、プログラムされている、請求項８に記載の装置。
【請求項１０】
前記プロセッサが更に、
前記比較から、前記第１のスポットサイズが前記ターゲットスポットサイズの所定の許容範囲外であることを判断し、
前記プリントゾーンの少なくとも前記第２の基体画像部の温度を前記プリントゾーンの前記第１の基体画像部の温度と異なるよう調節するように、プログラムされている、請求項８に記載の装置。
【請求項１１】
前記プロセッサが更に、
前記比較から、前記第１のスポットサイズが前記所定の許容範囲の下限を下回ることを判断し、
前記プリントゾーンの少なくとも前記第２の基体画像部の温度を、前記プリントゾーンの前記第１の基体画像部の温度より高くなるよう調節するように、プログラムされている、請求項１０に記載の装置。
【請求項１２】
前記プロセッサが更に、
前記比較から、前記第１のスポットサイズが前記所定の許容範囲の上限を上回ることを判断し、
前記プリントゾーンの少なくとも前記第２の基体画像部の温度を前記プリントゾーンの前記第１の基体画像部の温度より低くなるよう調節するように、プログラムされている、請求項１０に記載の装置。
【請求項１３】
前記温度分散装置は、伝導、対流、および放射の少なくとも１つによって、前記プリントゾーンの前記基体の温度をコントロールする、請求項８に記載の装置。
【請求項１４】
プロセッサによって実行された時に、前記プロセッサにプリント画像の紫外線硬化性ゲルインクの拡散をコントロールする方法を実行させる命令を記憶した非一時的コンピュータ読み取り可能記憶媒体であって、前記方法が、
一以上の紫外線硬化性ゲルインクをプリンタのプリントゾーンにおいて一以上のインクジェットによって第１の基体画像部へ塗布するステップであって、前記一以上のインクジェットが前記第１の基体画像部に一以上の第１のインクスポットを形成するように構成されているステップと、
前記プリントゾーンの少なくとも前記第１の基体画像部の温度を判断するステップと、
前記一以上の第１のインクスポットの少なくとも１スポットの第１のスポットサイズを判断するステップと、
前記一以上の第１のインクスポットのターゲットスポットサイズを参照するステップと、
前記一以上の第１のインクスポットに関して、前記判断された第１のスポットサイズを前記参照されたターゲットスポットサイズと比較するステップと、
前記プリントゾーンの少なくとも第２の基体画像部の温度を、前記比較に基づいて調節するステップと、
前記一以上の紫外線硬化性ゲルインクを紫外線へ露光させて前記一以上の紫外線硬化性ゲルインクを硬化させるステップと、
を含む、非一時的コンピュータ読み取り可能記憶媒体。
【請求項１５】
前記方法が、
前記比較から、前記第１のスポットサイズが前記ターゲットスポットサイズの所定の許容範囲内にあることを判断するステップと、
前記プリントゾーンの少なくとも前記第２の基体画像部の温度を、前記プリントゾーンの前記第１の基体画像部の温度に等しくなるように、調節するステップと、
を更に含む、請求項１４に記載の非一時的コンピュータ読み取り可能記憶媒体。
【請求項１６】
前記方法が、
前記比較から、前記第１のスポットサイズが前記ターゲットスポットサイズの所定の許容範囲外であることを判断するステップと、
前記プリントゾーンの少なくとも前記第２の基体画像部の温度を前記プリントゾーンの前記第１の基体画像部の温度と異なるよう調節するステップと、
を更に含む請求項１４に記載の非一時的コンピュータ読み取り可能記憶媒体。
【請求項１７】
前記方法が、
前記比較から、前記第１のスポットサイズが前記所定の許容範囲の下限を下回ることを判断するステップと、
前記プリントゾーンの少なくとも前記第２の基体画像部の温度を、前記プリントゾーンの前記第１の基体画像部の温度より高くなるよう調節するステップと、
を更に含む、請求項１６に記載の非一時的コンピュータ読み取り可能記憶媒体。
【請求項１８】
前記方法が、
前記比較から、前記第１のスポットサイズが前記所定の許容範囲の上限を上回ることを判断するステップと、
前記プリントゾーンの少なくとも前記第２の基体画像部の温度を前記プリントゾーンの前記第１の基体画像部の温度より低くなるよう調節するステップと、
を更に含む、請求項１６に記載の非一時的コンピュータ読み取り可能記憶媒体。
【請求項１９】
前記プリントゾーンの前記第１の基体画像部の温度と前記プリントゾーンの前記第２の基体画像部の温度が前記プリントゾーンの基体の温度を調節するように構成されている温度分散装置によってコントロールされる、請求項１４に記載の非一時的コンピュータ読み取り可能記憶媒体。
【手続補正２】
【補正対象書類名】明細書
【補正対象項目名】発明の名称
【補正方法】変更
【補正の内容】
【発明の名称】プリント画像の紫外線硬化性ゲルインク拡散をコントロールする方法、装置及び非一時的コンピュータ読み取り可能記録媒体